(57)【要約】      （修正有）【課題】廃棄の際に合成樹脂と金属とを簡単に分離することができ、合成樹脂と金属とを分別収集可能にし、廃棄物処理施設等で合成樹脂と金属とに分離しなくて済むようにして、資源の再利用化に適するようにした支柱を提供する。【解決手段】合成樹脂管１と、この合成樹脂管１内に挿入可能とした金属管と、この金属管を合成樹脂管１内から抜けないように止めておく合成樹脂製の止めピン３よりなり、合成樹脂管１は上端部から下端部までの少なくとも何れかの一個所に通孔を設けたものとし、金属管は合成樹脂管１内に挿入したときに、合成樹脂管１の通孔と合致する位置に通孔を設けたものとし、止めピン３は合成樹脂管１内に金属管を挿入して、合成樹脂管１の通孔と金属管の通孔を合致させたとき、これらの通孔に押し込み、抜け落ちないようにしたものとしている。【選択図】図１
0003132997.tif 000002
【実用新案登録請求の範囲】
【請求項１】
合成樹脂管（１）と、この合成樹脂管（１）内に挿入可能とした金属管（２）と、この金属管（２）を合成樹脂管（１）内から抜けないように止めておく合成樹脂製の止めピン（３）よりなり、前記合成樹脂管（１）は上端部から下端部までの少なくとも何れかの一個所に通孔（１ａ）を設けたものとし、前記金属管（２）は合成樹脂管（１）内に挿入したときに、合成樹脂管（１）の通孔（１ａ）と合致する位置に通孔（２ａ）を設けたものとし、前記止めピン（３）は合成樹脂管（１）内に金属管（２）を挿入して、合成樹脂管（１）の通孔（１ａ）と金属管（２）の通孔（２ａ）を合致させたとき、これらの通孔（１ａ、２ａ）に押し込み、抜け落ちないようにしたことを特徴とする支柱。
【請求項２】
前記合成樹脂管（１）の外周面に天然竹の模様を形成したことを特徴とする請求項１記載の支柱。
【請求項３】
前記合成樹脂管（１）と金属管（２）とを複数本に分割したものとし、これら複数本の合成樹脂管（１）どうし、および複数本の金属管（２）どうしをそれぞれ連結したものとしたことを特徴とする請求項１または２記載の支柱。
【請求項４】
上方の金属管（２）の下端を搾り加工して、下方の金属管（２）の上端より小径にして、これら金属管（２）の上下端が嵌合するようにしたことを特徴とする請求項３記載の支柱。
【請求項５】
下方の金属管（２）の上端を搾り加工して、上方の金属管（２）の下端より小径にして、これら金属管（２）の上下端が嵌合するようにしたことを特徴とする請求項３記載の支柱。
【請求項６】
上方の金属管（２）の下端にその金属管（２）の内径と略同一の外径を有する連結管（６）の上半分を内挿して固着し、この連結管（６）の下半分に下方の金属管（２）の上端を外挿するようにしたことを特徴とする請求項３記載の支柱。
【請求項７】
下方の金属管（２）の上端にその金属管（２）の内径と略同一の外径を有する連結管（６）の下半分を内挿して固着し、この連結管（６）の上半分に上方の金属管（２）の下端を外挿するようにしたことを特徴とする請求項３記載の支柱。
【請求項８】
上方の合成樹脂管（１）の下端と下方の合成樹脂管（１）の上端とを同径にし、これら合成樹脂管（１）の上下端が接触するようにしたことを特徴とする請求項３記載の支柱。
【請求項９】
前記止めピン（３）を、円盤状の頭部（３ａ）と、この頭部（３ａ）の内面中央部から突設した脚部（３ｂ）と、この脚部（３ｂ）の先端部から両側に頭部（３ａ）方向に斜め外向きに張り出させた弾性係止片（３ｃ）を設けたものとしたことを特徴とする請求項１〜８のいずれかに記載の支柱。
【請求項１０】
前記止めピン（３）を、合成樹脂管（１）内に金属管（２）を挿入して、合成樹脂管（１）の通孔（１ａ）と金属管（２）の通孔（２ａ）を合致させたとき、これらの通孔（１ａ、２ａ）に脚部（３ｂ）を押し込み、弾性係止片（３ｃ）によって、抜け落ちないようにしたものとしたことを特徴とする請求項９記載の支柱
【請求項１１】
上端部に着脱自在とした合成樹脂製の栓体（４）を被着し、下端部に着脱自在とした合成樹脂製の栓体（５）を被着したものとしたことを特徴とする請求項１〜１０のいずれかに記載の支柱。
【請求項１２】
上方の合成樹脂管（１）の下端と下方の合成樹脂管（１）の上端の繋ぎ目に合成樹脂製のカバー（７）を被せたものとしたことを特徴とする請求項３〜８のいずれかに記載の支柱。
【請求項１３】
前記カバー（７）を、繋ぎ目の上方の合成樹脂管（１）の端部を被嵌するようにした上方被嵌部（７ａ）と、繋ぎ目の下方の合成樹脂管（１）の端部を被嵌するようにした下方被嵌部（７ｂ）と、これら被嵌部（７ａ、７ｂ）の間において内面に突設した内周リブ（７ｃ）とを有しており、この内周リブ（７ｃ）を前記繋ぎ目に嵌まり込ませて、この繋ぎ目からずれないようにしたことを特徴とする請求項１２記載の支柱。
【考案の詳細な説明】
【技術分野】
【０００１】
この考案は、広告宣伝用の幟の旗竿として用いられたり、暖簾棒として用いられたり、また農園芸における植物の支持手段など、各種の用途に使われる支柱に関するものである。
【背景技術】
【０００２】
従来、この種の支柱としては、古くは天然竹が用いられていた。天然竹は、清楚感に溢れ、素朴さと風合いの良さを兼ね備えており、地球環境に優しく、公害の発生源となることもないので、使い捨て使用するのに好ましく、各業種の店頭などにおける屋外広告用の幟の旗竿に用いられている。しかし、天然竹を旗竿として使用した場合、形状が不揃いのため大量消費には向かない。また、天然竹は、日光や雨で傷むのが早いので取り替えが大変である。そのため、天然竹は、旗竿として用いられるのには余り適さないといえる。
【０００３】
また、この種の支柱としては、例えば図８に示したような農園芸用支柱が案出されている。この農園芸用支柱は、金属管１１の周壁面に合成樹脂皮膜１２を被覆してなる支柱本体１３の両端部に密栓１４を嵌装してなり、密栓１４に支柱本体１３内と外気とが連通する通気孔１５を開設したものとしている（特許文献１）。
【０００４】
このように構成した従来の支柱は、合成樹脂皮膜１２の膨れ現象が解消されるために耐久性や美観性が向上するとしている。
【０００５】
さらに、この種の支柱としては、例えば図９に示したようなものが案出されている。この支柱は、合成樹脂製栓体２１に金属管２２の外形と略等しい鍔部２３とこの鍔部２３の一端に金属管２２の内径と略等しい嵌合部２４を形成し、この嵌合部２４を金属管２２の少なくとも一端に取着し、金属管２２の外周側面２２ａから鍔部２３の外周側面２３ａにかけて合成樹脂の被覆層２５を形成し、この被覆層２５に、金属管２２の端部と栓体２１との境に沿って、環状突起２６を形成したものとしている（特許文献２）。
【０００６】
このように構成した従来の支柱は、栓体２１が抜脱することなく、栓体２１により金属管２２の内部の水密性が図られ、また環状突起２６に支えられて金属管２２の端部と栓体２１との境での曲げ強度が大きく、かつ被覆層２５の端部が破損しにくく、支柱の端部が保護されるとしている。
【特許文献１】実開昭６３−１６７８５１号公報（第１、３頁、第１図）
【特許文献２】特開平５−２６０８６５号公報（第１、４頁、図１）
【考案の開示】
【考案が解決しようとする課題】
【０００７】
上記従来の支柱は、いずれも金属管の外周面に合成樹脂の被覆層を形成しており、この合成樹脂の被覆層が金属管に密着しているので、金属管から剥離することなく、耐久性に優れたものとなり、長期間に渡って使用することができるという利点を有する。
【０００８】
ところで、このような従来の支柱は、近年の資源の再利用化、ゴミの分別収集の細分化等が求められる現況下においては、廃棄の際に合成樹脂の被覆層と金属管とは簡単に分離できることが、廃棄物処理施設等での労力や経費の削減面から望ましい。
【０００９】
しかしながら、上記従来の支柱は、合成樹脂の被覆層が金属管に密着して一体化しており、廃棄の際に合成樹脂と金属とを簡単に分離することができず、そのまま廃棄される。したがって、廃棄物処理施設等で合成樹脂と金属とに分離するには、多大な労力や経費がかかるため、埋め立て処理される場合が多く、資源の再利用化を促進することができないという問題点を有していた。
【００１０】
また、上記従来の支柱は、旗竿として使用した場合も、合成樹脂の被覆層が露出しているだけであるので、色調を変化させたとしても、外観が単調で冷たい印象を受けるという問題点を有していた。
【００１１】
そこで、この考案は、上記従来の問題点を解決することをその課題としており、廃棄の際に合成樹脂と金属とを簡単に分離することができ、合成樹脂と金属とを分別収集可能にし、廃棄物処理施設等で合成樹脂と金属とに分離しなくて済むようにして、資源の再利用化に適するようにした支柱であって、しかも自然の風合いを感じさせ、心を和ませるようにした支柱を提供することを目的としてなされたものである。
【課題を解決するための手段】
【００１２】
そのため、この考案の支柱は、合成樹脂管１と、この合成樹脂管１内に挿入可能とした金属管２と、この金属管２を合成樹脂管１内から抜けないように止めておく合成樹脂製の止めピン３よりなり、前記合成樹脂管１は上端部から下端部までの少なくとも何れかの一個所に通孔１ａを設けたものとし、前記金属管２は合成樹脂管１内に挿入したときに、合成樹脂管１の通孔１ａと合致する位置に通孔２ａを設けたものとし、前記止めピン３は合成樹脂管１内に金属管２を挿入して、合成樹脂管１の通孔１ａと金属管２の通孔２ａを合致させたとき、これらの通孔１ａ、２ａに押し込み、抜け落ちないようにしたものとしている。
【００１３】
そして、この考案の支柱は、前記合成樹脂管１の外周面に天然竹の模様を形成したものとしている。
【００１４】
さらに、この考案の支柱は、前記合成樹脂管１と金属管２とを複数本に分割したものとし、これら複数本の合成樹脂管１どうし、および複数本の金属管２どうしをそれぞれ連結したものとしている。
【００１５】
また、この考案の支柱は、上方の金属管２の下端を搾り加工して、下方の金属管２の上端より小径にして、これら金属管２の上下端が嵌合するようにしている。
【００１６】
さらに、この考案の支柱は、下方の金属管２の上端を搾り加工して、上方の金属管２の下端より小径にして、これら金属管２の上下端が嵌合するようにしている。
【００１７】
また、この考案の支柱は、上方の金属管２の下端にその金属管２の内径と略同一の外径を有する連結管６の上半分を内挿して固着し、この連結管６の下半分に下方の金属管２の上端を外挿するようにしている。
【００１８】
さらに、この考案の支柱は、下方の金属管２の上端にその金属管２の内径と略同一の外径を有する連結管６の下半分を内挿して固着し、この連結管６の上半分に上方の金属管２の下端を外挿するようにしている。
【００１９】
また、この考案の支柱は、上方の合成樹脂管１の下端と下方の合成樹脂管１の上端を同径にし、これら合成樹脂管１の上下端が接触するようにしている。
【００２０】
さらに、この考案の支柱は、前記止めピン３を、円盤状の頭部３ａと、この頭部３ａの内面中央部から突設した脚部３ｂと、この脚部３ｂの先端部から両側に頭部３ａ方向に斜め外向きに張り出させた弾性係止片３ｃを設けたものとしている。
【００２１】
また、この考案の支柱は、前記止めピン３を、合成樹脂管１内に金属管２を挿入して、合成樹脂管１の通孔１ａと金属管２の通孔２ａを合致させたとき、これらの通孔１ａ、２ａに脚部３ｂを押し込み、弾性係止片３ｃによって、抜け落ちないようにしたものとしている。
【００２２】
さらに、この考案の支柱は、上端部に着脱自在とした合成樹脂製の栓体４を被着し、下端部に着脱自在とした合成樹脂製の栓体５を被着したものとしている。
【００２３】
また、この考案の支柱は、上方の合成樹脂管１の下端と下方の合成樹脂管１の上端の繋ぎ目に合成樹脂製のカバー７を被せたものとしている。
【００２４】
さらに、この考案の支柱は、前記カバー７を、繋ぎ目の上方の合成樹脂管１の端部を被嵌するようにした上方被嵌部７ａと、繋ぎ目の下方の合成樹脂管１の端部を被嵌するようにした下方被嵌部７ｂと、これら被嵌部７ａ、７ｂの間において内面に突設した内周リブ７ｃとを有しており、この内周リブ７ｃを前記繋ぎ目に嵌まり込ませて、この繋ぎ目からずれないようにしたものとしている。
【考案の効果】
【００２５】
この考案の支柱は、以上に述べたように構成されているので、廃棄の際に合成樹脂と金属とを簡単に分離することができ、合成樹脂と金属とを分別収集可能にし、廃棄物処理施設等で合成樹脂と金属とに分離しなくて済むようにしたので、資源の再利用化に適したものとなる。さらに、この考案の支柱は、合成樹脂管の外周面に天然竹の模様を形成したものでは、自然の風合いを感じさせ、心を和ませるものとなる。
【考案を実施するための最良の形態】
【００２６】
以下、この考案の支柱を実施するための最良の形態について、図面に基づき詳細に説明する。
【００２７】
この考案の支柱は、合成樹脂管１と、この合成樹脂管１内に挿入可能とした金属管２と、この金属管２を合成樹脂管１内から抜けないように止めておく合成樹脂製の止めピン３よりなる。そして、この考案の支柱は、必要により、上端部に着脱自在とした合成樹脂製の栓体４を被着し、下端部に着脱自在とした合成樹脂製の栓体５を被着している。
【００２８】
前記合成樹脂管１は、外周面に天然竹の模様を形成したりして、天然竹に似せたものとするのが、天然竹のように清楚感に溢れ、素朴さと風合いの良さを兼ね備えたものとなり、好ましい。そして、この合成樹脂管１は、上端部から下端部までの少なくとも何れかの一個所に通孔１ａを設けたものとしている。図示したものでは、前記通孔１ａは、下端部の一個所に設けたものとしているが、上端部の一個所に設けたものとしても、中間部の一個所に設けたものとしてもよい。また、前記孔１ａは、上端部、中間部、下端部のすべての個所、またはこれら何れかの二個所に設けたものとしてもよい。
【００２９】
前記金属管２は、合成樹脂管１内に挿入したときに、合成樹脂管１の通孔１ａと合致する位置に通孔２ａを設けたものとしている。この金属管２は、前記合成樹脂管１の内径よりも小さい外径を有するものとして、その合成樹脂管１内に挿入可能としているが、合成樹脂管１内に挿入したときに、合成樹脂管１との間の隙間をできるだけ小さくしておくのが好ましい。
【００３０】
前記止めピン３は、図６に示したように、円盤状の頭部３ａと、この頭部３ａの内面中央部から突設した脚部３ｂと、この脚部３ｂの先端部から両側に頭部３ａ方向に斜め外向きに張り出させた弾性係止片３ｃを設けたものとしている。そして、この止めピン３は、合成樹脂管１内に金属管２を挿入して、合成樹脂管１の通孔１ａと金属管２の通孔２ａを合致させたとき、これらの通孔１ａ、２ａに脚部３ｂを押し込み、弾性係止片３ｃによって、抜け落ちないようにしている。すなわち、前記通孔１ａ、２ａに止めピン３の弾性係止片３ｃを内向きに押し縮めて、頭部３ａの内面が合成樹脂管１の外面に接触するまで脚部３ｂを押し込む。すると、前記通孔１ａ、２ａを通り抜けた弾性係止片３ｃは、外向きに拡がって元の状態に戻り、止めピン３を通孔１ａ、２ａから抜こうとしても、前記弾性係止片３ｃが金属管２の内面に当たって抜けなくなるので、止めピン３が前記通孔１ａ、２ａから抜け落ちないものとなる。
【００３１】
次に、この考案の支柱は、図２に示したように、前記合成樹脂管１と金属管２とを複数本に分割したものとし、これら複数本の合成樹脂管１どうし、および複数本の金属管２どうしをそれぞれ連結したものとすることができる。この考案の支柱は、２．０〜３．０ｍを超える程度の長さになると、運搬や保管するのに嵩張るので、合成樹脂管１および金属管２を二分割にしたり、三分割にしておくことができる。
【００３２】
このような場合、前記合成樹脂管１内に金属管２を挿入する前に、複数本に分割した金属管２を予め連結しておく。金属管２どうしを連結するには、図５に示したように、上方の金属管２の下端を搾り加工して、下方の金属管２の上端より小径にして、これら金属管２の上下端が嵌合するようにしている。また、図示していないが、下方の金属管２の上端を搾り加工して、上方の金属管２の下端より小径にして、これら金属管２の上下端が嵌合するようにしてもよい。さらに、金属管２どうしを連結するには、図７に示したように、上方の金属管２の下端にその金属管２の内径と略同一の外径を有する連結管６の上半分を内挿して固着し、この連結管６の下半分に下方の金属管２の上端を外挿すればよい。また、図示していないが、下方の金属管２の上端にその金属管２の内径と略同一の外径を有する連結管６の下半分を内挿して固着し、この連結管６の上半分に上方の金属管２の下端を外挿してもよい。
【００３３】
前記合成樹脂管１どうしを連結するには、上方の合成樹脂管１の下端と下方の合成樹脂管１の上端とを同径にし、これら合成樹脂管１の上下端が単に接触するようにしているが、図５に示したように、繋ぎ目にはこの繋ぎ目が目立たないように合成樹脂製のカバー７を被せておくことができる。このカバー７は、繋ぎ目の上方の合成樹脂管１の端部を被嵌するようにした上方被嵌部７ａと、繋ぎ目の下方の合成樹脂管１の端部を被嵌するようにした下方被嵌部７ｂと、これら被嵌部７ａ、７ｂの間において内面に突設した内周リブ７ｃとを有しており、この内周リブ７ｃを前記繋ぎ目に嵌まり込ませて、この繋ぎ目からずれないようにしている。
【００３４】
そして、この考案の支柱を旗竿に用いる場合には、上端部に被着する栓体４は、図３に示したように、上部突出部８と下部挿入部９とからなるものとしている。この上部突出部８には、押え体８ａが螺着されており、この押え体８ａをねじ込むことにより、上部突出部８の支持孔８ｂに挿入された旗の支持棒（図示せず）を押圧して支持するようにしている。また、下部挿入部９は、金属管２内にカラー１０を介在させて、このカラー１０に遊嵌したものとしている。このようにすると、前記支持棒が上部突出部８の支持孔８ｂに支持された状態で旗に風が当たると、その風向きに応じて下部挿入部９が回るので、支持棒も一緒に回ることになり、旗が各方向から見えるものとなって広告宣伝効果に優れたものとなる。
【００３５】
さらに、この考案の支柱の下端部に被着する栓体５は、合成樹脂管１の外周面に単に嵌め込まれるものとしたり、図４に示したように、金属管２内に嵌合するようにした嵌合部５ａを有したものとすることができる。
【００３６】
以上のように構成したこの考案の支柱は、屋外広告用の旗竿として、または農園芸における植物の支持手段として、長年に渡って使用した結果、傷んでしまった場合には、上下端部から栓体４、５を外し、合成樹脂管１から金属管２を引き抜く。この場合、合成樹脂管１の表面に露出している止めピン３の頭部３ａを、この合成樹脂管１とその頭部３ａの間にカッターナイフや鋏の刃先を差し込んで切り落とす。すると、止めピン３の脚部３ｂと弾性係止片３ｃは、金属管２の内部に落下するので、前記栓体５を外した金属管２の下端部から取り出すことができる。
【００３７】
さらに、この考案の支柱において、複数本の合成樹脂管１どうし、および複数本の金属管２どうしをそれぞれ連結したものでは、これらの連結を外し、合成樹脂管１および金属管２をそれぞれ分割する。
【００３８】
そして、このようにした合成樹脂管１、止めピン３、栓体４、５およびカバー６を一纏めにし、また金属管２を別にして纏めておけば、合成樹脂と金属とに分離して廃棄することがきるので、合成樹脂と金属を分別収集することができるものとなる。
【００３９】
したがって、この考案の支柱は、廃棄物処理施設等で合成樹脂と金属とに分離しなくても済むので、資源の再利用化に適したものとなる。
【００４０】
なお、この考案の支柱は、長年に渡って使用した結果、傷んでしまった場合にも、金属管２は合成樹脂管１内に挿入されているため、この金属管２の傷みは少ないので、金属管２のみを再使用することもできる。
【図面の簡単な説明】
【００４１】
【図１】この考案の支柱の一実施形態を示す斜視図である。
【図２】この考案の支柱の他の実施形態を示す斜視図である。
【図３】図１および図２に示すこの考案の支柱の上端部近辺の一部切欠断面図である。
【図４】図１および図２に示すこの考案の支柱の下端部近辺の断面図である。
【図５】図２に示すこの考案の支柱の中央部近辺の断面図である。
【図６】この考案の支柱の止めピンを示す斜視図である。
【図７】この考案の支柱の金属管の連結構造を示す部分断面図である。
【図８】従来の支柱の一例を示す断面図である。
【図９】従来の支柱の他の例を示す一部切欠断面図である。
【符号の説明】
【００４２】
１  合成樹脂管
１ａ  通孔
２  金属管
２ａ  通孔
３  止めピン
３ａ  頭部
３ｂ  脚部
３ｃ  弾性係止片
４  栓体
５  栓体
６  連結管
７  カバー
７ａ  上方被嵌部
７ｂ  下方被嵌部
７ｃ  内周リブ
【図１】
0003132997.tif 000003
【図２】
0003132997.tif 000004
【図３】
0003132997.tif 000005
【図４】
0003132997.tif 000006
【図５】
0003132997.tif 000007
【図６】
0003132997.tif 000008
【図７】
0003132997.tif 000009
【図８】
0003132997.tif 000010
【図９】
0003132997.tif 000011